(57)【要約】【課題】障子の移動速度に応じて障子の移動を停止させることが可能な建具を提供する。【解決手段】開口を形成する枠体と、前記枠体に沿って移動自在に設けられ、前記開口を閉止可能な障子と、前記障子に設けられ当該障子が所定速度以上にて移動する際に当該障子が有する框より前記枠体側に突出する突出部と、前記枠体に設けられ、突出した前記突出部が当接されて前記障子の移動を規制する規制部と、を有する。【選択図】図６
2011032787.tif 000002
【特許請求の範囲】
【請求項１】
開口を形成する枠体と、
前記枠体に沿って移動自在に設けられ、前記開口を閉止可能な障子と、
前記障子に設けられ当該障子が所定速度以上にて移動する際に当該障子が有する框より前記枠体側に突出する突出部と、
前記枠体に設けられ、突出した前記突出部が当接されて前記障子の移動を規制する規制部と、
を有することを特徴とする建具。
【請求項２】
請求項１に記載の建具であって、
前記枠体と接触し前記障子が移動することにより回転する第１回転体と、
前記第１回転体の回転軸と同軸にて回転し、前記第１回転体とともに回転した際に生じる遠心力にて外径が広がる第２回転体と、
前記回転軸を中心に回動自在に設けられ、前記第２回転体の前記外径が広がる前の状態にて当該第２回転体の外周面と互いに間隔を隔てて対向する内周面を有する周面対向部材と、
を備え、
前記突出部は前記周面対向部材の外周部分の一部が外側に突出されて形成されており、
前記所定速度以上にて前記障子が移動した際に、前記第２回転体の前記外径が広がって、前記第２回転体の前記外周面が前記周面対向部材の前記内周面を押圧することにより、前記周面対向部材が前記第２回転体とともに回転して前記突出部が突出することを特徴とする建具。
【請求項３】
請求項２に記載の建具であって、
前記障子には、前記突出部が突出した状態にて前記周面対向部材の回転を停止させる回転停止部が設けられていることを特徴する建具。
【請求項４】
請求項３に記載の建具であって、
突出した前記突出部は、前記開口が前記障子にて閉止される前に前記規制部に当接されることを特徴する建具。
【請求項５】
請求項３または請求項４に記載の建具であって、
前記突出部が前記回転停止部と前記規制部とに挟まれて前記障子の移動が規制されることを特徴する建具。
【請求項６】
請求項１乃至請求項５のいずれかに記載の建具であって、
前記規制部は、前記突出部が当接されたときの衝撃を抑える緩衝材を備えることを特徴する建具。
【請求項７】
請求項１乃至請求項６のいずれかに記載の建具であって、
突出した前記突出部を前記障子の内側に付勢する付勢部材を有することを特徴する建具。
【請求項８】
請求項１乃至請求項７のいずれかに記載の建具であって、
前記付勢部材は、前記障子が有する框より前記枠体側に突出し前記規制部に当接していない前記突出部を、前記外周面が前記内周面から離れた際に、前記障子側に移動させることを特徴する建具。
【発明の詳細な説明】
【技術分野】
【０００１】
本発明は、開口を形成する枠体と、枠体に沿って移動自在に設けられて開口を閉止可能な障子を有する建具に関する。
【背景技術】
【０００２】
枠体に沿って移動自在に設けられて開口を閉止可能な障子を有する建具の中には、障子が勢いよく閉じることを防止する機能を有する建具が存在する（例えば、特許文献１参照）。このような建具は、例えば上側の横枠の左右の端側にマグネットが設けられており、障子の上框には、戸先側にマグネットが設けられて上下方向に揺動可能な部材が設けられている。そして、障子側の揺動可能な部材は、障子を開いている際には、上框より上方に突出しており、障子が所定速度より遅い速度にて閉じられる場合には、障子側の揺動する部材のマグネットと枠側のマグネットとの反発により、揺動する部材が下方に揺動して上框内に収容され、戸先框が縦枠に到達して障子が閉じられる。一方、障子が所定速度より早い速度にて閉じられる場合には、障子側の揺動する部材がマグネットとの反発を受けるまもなく、揺動する部材が上方に突出したままマグネットの下を通過して上枠設けられたストッパに当接することにより、戸先框が縦枠に到達する前に障子が開いた状態にて停止するように構成されている。
【先行技術文献】
【特許文献】
【０００３】
【特許文献１】特開２００９−５７７３７号公報
【発明の概要】
【発明が解決しようとする課題】
【０００４】
しかしながら、上記のような建具は、障子が開いている際に上框より上方に突出している部材は、マグネットの反発力により下方に揺動し、障子が閉まり得る状態となるので、マグネットの磁力が低下した場合には、揺動する部材は上框より上方に突出したままの状態となり、障子を閉じることができなくなるという課題があった。
【０００５】
本発明は、かかる課題に鑑みてなされたものであり、その目的とするところは、障子の移動速度に応じて障子の移動を停止させることが可能な建具を提供することにある。
【課題を解決するための手段】
【０００６】
かかる目的を達成するために本発明の建具は、開口を形成する枠体と、前記枠体に沿って移動自在に設けられ、前記開口を閉止可能な障子と、前記障子に設けられ当該障子が所定速度以上にて移動する際に当該障子が有する框より前記枠体側に突出する突出部と、前記枠体に設けられ、突出した前記突出部が当接されて前記障子の移動を規制する規制部と、を有することを特徴とする建具である。  
このような建具によれば、障子が所定速度以上にて移動する際に突出部が突出し、突出した突出部が規制部に当接されて障子が停止するので、障子が所定速度以上になった際に障子の移動を停止させることが可能である。また、所定速度に満たない場合には、突出部が突出しないので規制部に当接しない。このため、所定速度に満たない場合には、確実に障子を閉じることが可能である。
【０００７】
かかる建具であって、前記枠体と接触し前記障子が移動することにより回転する第１回転体と、前記第１回転体の回転軸と同軸にて回転し、前記第１回転体とともに回転した際に生じる遠心力にて外径が広がる第２回転体と、前記回転軸を中心に回動自在に設けられ、前記第２回転体の前記外径が広がる前の状態にて当該第２回転体の外周面と互いに間隔を隔てて対向する内周面を有する周面対向部材と、を備え、前記突出部は前記周面対向部材の外周部分の一部が外側に突出されて形成されており、前記所定速度以上にて前記障子が移動した際に、前記第２回転体の前記外径が広がって、前記第２回転体の前記外周面が前記周面対向部材の前記内周面を押圧することにより、前記周面対向部材が前記第２回転体とともに回転して前記突出部が突出することが望ましい。  
このような建具によれば、枠体と接触して障子が移動することにより回転する第１回転体と同軸にて回転する第２回転体が、回転により生じる遠心力にて外径が広がって、周面対向部材を押圧することにより、第２回転体と周面対向部材とが一体となって回転する。このとき周面対向部材に設けられた突出部が障子が有する框より枠体側に突出する。このように、障子の移動に伴って回転する第１回転体及び第２回転体は、障子の移動速度に基づいて回転するので、第２回転体が遠心力にて外径が広がるためには、障子が所定速度以上にて移動する必要がある。このため、障子が所定速度以上の場合には、突出部が突出して移動が規制され、所定速度より低い場合には、規制されない建具を提供することが可能である。
【０００８】
かかる建具であって、前記障子には、前記突出部が突出した状態にて前記周面対向部材の回転を停止させる回転停止部が設けられていることが望ましい。  
このような建具によれば、回転停止部が設けられているので、回転した周面対向部材の回転が回転停止部により停止されて突出部を突出させた位置にて周面対向部材の回転を停止させることが可能である。
【０００９】
かかる建具であって、突出した前記突出部は、前記開口が前記障子にて閉止される前に前記規制部に当接されることが望ましい。  
このような建具によれば、突出した突出部は、障子が開口を閉止する前に規制部に当接するので、障子により開口が完全に閉止される前に障子を停止させることが可能である。
【００１０】
かかる建具であって、前記突出部が前記回転停止部と前記規制部とに挟まれて前記障子の移動が規制されることが望ましい。  
このような建具によれば、突出部が回転停止部と規制部とに挟まれて障子の移動が規制されるので、障子の移動を確実に規制することが可能である。
【００１１】
かかる建具であって、前記規制部は、前記突出部が当接されたときの衝撃を抑える緩衝材を備えることが望ましい。  
このような建具によれば、規制部は、突出部が当接されたときの衝撃を抑える緩衝材を備えているので、障子が所定速度以上にて移動し突出部が規制部に当接されたとしても、その衝撃を抑制することが可能である。
【００１２】
かかる建具であって、突出した前記突出部を前記障子の内側に付勢する付勢部材を有することが望ましい。
【００１３】
周面対向部材の回転が停止すると、外径が広がって一体となった第１回転体及び第２回転体の回転も停止するか、または、回転速度が低くなる。このとき、第２回転体に作用していた遠心力が低下するので、第２回転体の外径が小さくなり、第２回転体が周面対向部材から離れることにより、周面対向部材は、突出部を障子が有する框より枠体側に移動させる力が作用しなくなる。このため、上記建具のように、突出した突出部を障子の内側に付勢する付勢部材を有していると、障子の速度が所定速度より遅くなった際に、速やかに突出部を障子の内側に移動させることが可能である。
【００１４】
かかる建具であって、前記付勢部材は、前記障子が有する框より前記枠体側に突出し前記規制部に当接していない前記突出部を、前記外周面が前記内周面から離れた際に、前記障子側に移動させることが望ましい。  
このような建具によれば、第２回転体の外周面が周面対向部材の内周面から離れた際には、突出部が障子側に移動されるので、第２回転体の外周面が周面対向部材の内周面から離れた際、すなわち、障子の速度が所定速度より小さいときには、突出部は付勢部材により障子側に移動されているので、突出部が規制部に当接されることはなく、障子が停止することはない。
【発明の効果】
【００１５】
本発明によれば、障子の移動速度に応じて障子の移動を停止させることが可能な建具を提供することが可能である。
【図面の簡単な説明】
【００１６】
【図１】本実施形態に係る建具の上部を示す外観図である。
【図２】障子停止機構を説明するための斜視図である。
【図３】障子停止機構を説明するための平面図である。
【図４】停止ユニットの構成を説明するための分解斜視図である。
【図５】停止ユニットの構成を説明するための縦断面図であり、図５（ａ）は、突出部が框側に位置している状態を示す縦断面図であり、図５（ｂ）は、突出部が枠側に突出している状態を示す縦断面図である。
【図６】障子停止機構の動作を説明するための平面図であり、図６（ａ）は、障子が開放されている際の停止ユニットの状態を示す図、図６（ｂ）は、障子が移動し始めた際の停止ユニットの状態を示す図、図６（ｃ）は、障子が所定速度以上で移動している際の停止ユニットの状態を示す図、図６（ｄ）は、障子が停止された際の停止ユニットの状態を示す図である。
【図７】障子停止機構の変形例を説明するための平面図である。
【発明を実施するための形態】
【００１７】
以下、本発明の一実施形態に係る建具について図面を参照して説明する。  
本実施形態の建具１は、例えば、図１、図２に示すように、開口を形成し矩形状に枠組みされた枠体１０と、枠体１０に沿って移動自在に設けられ、開口を閉止可能な障子１２と、を有する引き違いタイプの建具１である。図１においては、内障子を省略している。
【００１８】
以下の説明においては、建物等に取り付けられた状態の建具１を室外側から見たときに、上下となる方向を上下方向、左右となる方向を左右方向または見付け方向、室内外方向である奥行き方向を見込み方向として示す。また、建具１が備える各部材は、単体の状態であっても建物等に取り付けられた状態にて奥行き方向、左右方向、上下方向となる方向にて方向を特定して説明する。
【００１９】
建具１は、障子１２を閉める際に、当該障子１２が所定速度以上にて移動すると、戸先框１２ａが縦枠１０ａに当接する前に、すなわち閉止される前に、戸先框１２ａと縦枠１０ａとが適宜間隔、例えば約７５ｍｍの間隔を隔てた位置にて障子１２を停止させる障子停止機構２０を備えている。障子停止機構２０は、内側の障子（不図示）及び外側の障子１２と枠体１０との間にそれぞれ設けられているが、外側の障子停止機構２０も内側の障子停止機構も構成は同一なので、ここでは外側の障子を停止させるための障子停止機構２０を例に挙げて説明する。
【００２０】
障子停止機構２０は、図１〜図５に示すように、外側の障子（以下、外障子という）１２に設けられた停止ユニット２１と、上枠１０ｂに設けられ、停止ユニット２１が有するローラ２２と接触する接触部材５０と、停止ユニット２１が有する突出部２６ｄが当接されるストッパ５２と、を有している。ここで、図１及び図３においては、障子１２が閉止された際の戸先框１２ａ及び召合せ框１２ｂの位置を一点鎖線にて示している。
【００２１】
停止ユニット２１は、障子１２の召合せ框１２ｂの上端側に、戸先框１２ａとは反対側に取り付けられている。
【００２２】
停止ユニット２１は、上枠１０ｂに設けられた接触部材５０と接触し、障子１２が移動することにより回転する第１回転体としてのローラ２２と、ローラ２２の回転軸をなす中継軸２４と、ローラ２２と同軸にて回転し中継軸２４と連結される軸部２５ａを有する第２回転体としての慣性体２５と、中継軸２４及び軸部２５ａと同軸を中心に回転自在に設けられ慣性体２５を囲むように設けられた周面対向部材２６と、召合せ框１２ｂに固定され慣性体２５及び周面対向部材２６が収容される収容部２７ａを有するユニット本体２７と、収容部２７ａに設けられ軸部２５ａの下側の軸受け部２７ｂに支持された慣性体２５と慣性体２５を囲むように設けられた周面対向部材２６とが収容された収容部２７ａの上部を覆う蓋部材２８と、を有している。
【００２３】
そして、停止ユニット２１は、召合せ框１２ｂに取り付けられたユニット本体２７の収容部２７ａに慣性体２５と周面対向部材２６とが収容されるとともに、慣性体２５の軸部２５ａと連結された中継軸２４がユニット本体２７の軸受け部２７ｂと蓋部材２８の軸受け部２８ａとで支持されて回動自在に設けられ、蓋部材２８より上方に突出した中継軸２４の上軸部２４ａにローラ２２が固定されている。ここで、中継軸２４と軸部２５ａとは滑ることなく動力が伝達されるように連結されている。このため、ローラ２２が回転すると中継軸２４を介して連結された慣性体２５も一体となって収容部２７ａ内にて回転するように構成されている。
【００２４】
慣性体２５は、軸部２５ａと、軸部２５ａの周りを囲む環状体２５ｂと、環状体２５ｂを軸部２５ａ側に押圧する弾性部材とを有している。環状体２５ｂは、ダイカストにて製造された金属製の３つのパーツからなる円盤状の部材である。３つのパーツは、環状体２５ｂを放射状にほぼ３等分した形状をなしている。そして、３つの部材を組み合わせて環状に配置すると、中央に形成される孔の直径が軸部２５ａの直径とほぼ一致するように形成されている。
【００２５】
また、環状体２５ｂの外周面２５ｃには、軸方向における中央に軸部２５ａ側に窪む環状の溝部２５ｄが形成されている。溝部２５ｄには、環状をなす弾性部材が取り付けられている。弾性部材は、例えば、環状に形成されたコイルバネ２５ｅであり、コイルバネ２５ｅがなす環の内径は、溝部２５ｄの底部がなす直径より僅かに小さく形成されている。
【００２６】
そして、慣性体２５は、軸部２５ａの周りに３つの分割されたパーツでなる環状体２５ｂが配置され、環状体２５ｂの溝部２５ｄに設けられたコイルバネ２５ｅの弾性力により、環状体２５ｂの３つのパーツが軸部２５ａに押圧されている。
【００２７】
周面対向部材２６は、停止ユニット２１が組み立てられた状態にて、慣性体２５が有する環状体２５ｂの外周面２５ｃと互いに僅かに間隔を隔てて対向する内周面２６ａを有する筒状の筒状壁部２６ｂと、筒状壁部２６ｂの外周部の一部から外側に突出された突出部２６ｄとを有している。周面対向部材２６は、慣性体２５の外側にて回転可能に形成されており、回転した慣性体２５が遠心力にて外径が広がった際に、環状体２５ｂの外周面２５ｃが周面対向部材２６の内周面２６ａを押圧して、環状体２５ｂとともに周面対向部材２６が中継軸２４を中心として回転するように構成されている。このため、周面対向部材２６の内周面２６ａには、環状体２５ｂの外周面２５ｃの滑りを防止するために摩擦材２６ｃが設けられている。
【００２８】
ユニット本体２７の収容部２７ａは、収容された周面対向部材２６の外周部より大きな円弧状の周壁部２７ｃと、周面対向部材２６の突出部２６ｄが配置され、周面対向部材２６の回転に伴って移動する突出部２６ｄの移動領域となる開放部２７ｄとを有している。すなわち、収容部２７ａを形成する周壁部２７ｃの端部２７ｅが、周面対向部材２６が回転する際に移動する突出部２６ｄの回転停止部として機能している。
【００２９】
また、ユニット本体２７は、回転する周面対向部材２６の突出部２６ｄを障子１２側に付勢する付勢部材としての板バネ２９を有している。板バネ２９は、平坦な板状をなし、周壁部２７ｃの一方の端部２７ｅから開放部２７ｄ側に向かって設けられている。そして、慣性体２５の遠心力が作用していない周面対向部材２６の突出部２６ｄが障子１２側に位置した状態にて板バネ２９が平坦な状態となり、遠心力により周面対向部材２６が回転して突出する突出部２６ｄにより板バネ２９が屈曲されて、突出部２６ｄを障子１２側に移動させるべく作用する。
【００３０】
ストッパ５２は、上枠１０ｂにおいて、障子１２の上框１２ｃが収容される空間を形成する室外側の壁部１０ｃとレール１０ｄとの間に固定されている。ストッパ５２は、障子１２を閉める方向に移動させた際に、突出部２６ｄが障子１２より枠体１０側に突出している場合に、障子１２の戸先框１２ａと縦枠１０ａとが適宜間隔（本実施形態では、約７５ｍｍ）を隔てて障子１２が停止する位置にて、突出部２６ｄが当接するように配置されている。また、突出部２６ｄが障子１２側に位置している場合には、突出部２６ｄとストッパ５２とが干渉しないように構成されている。
【００３１】
接触部材５０は、レール１０ｄの室内側の側面に設けられており、障子１２に設けられた停止ユニット２１のローラ２２が接触した際にローラ２２が滑りにくく、障子１２の移動により回転しやすいように設けられた部材である。接触部材５０は、障子１２障子が移動可能な範囲の約１／３の長さを有して見付け方向に沿って設けられており、突出部２６ｄがストッパ５２に当接したときにローラ２２と接触する位置から、戸先框１２ａと反対側にて接触するように設けられている。また、接触部材５０は、障子１２の上框１２ｃに設けられたガイド部１２ｄが形成する空間に、レール１０ｄが挿入された際にレール１０ｄがガイド部１２ｄの間にて見込み方向に移動可能、かつ、停止ユニット２１のローラ２２と接触した際にはローラ２２と接触部材５０とが離れないように構成されている。
【００３２】
次に、障子１２の移動と障子停止機構２０の動作について説明する。  
まず、障子１２の戸先框１２ａが、縦枠１０ａから７５ｍｍより離れて位置するように障子１２が開けられているとする。このとき、障子１２は移動していないので、ローラ２２が接触部材５０に接触している、または、接触していないに拘わらず、図６（ａ）に示すように、ローラ２２、慣性体２５、周面対向部材２６は停止し、突出部２６ｄは障子１２が有する框の室内側の面から室内側に突出することなく障子１２側に位置している。
【００３３】
そして、操作者が障子１２を閉じるべく障子１２を縦枠１０ａ側に移動させたとする。このときローラ２２が接触部材５０と接触していない場合には、ローラ２２が接触部材５０に接触するまで、ローラ２２は回転することなく障子１２が移動する。そして、ローラ２２が接触部材５０と接触すると、障子１２の移動に伴ってローラ２２が回転し始める。このとき、ローラ２２と中継軸２４を介して連結されている慣性体２５も一体となって回転する。また、障子１２が移動し始めた時点では、慣性体２５の回転により生じる遠心力が、慣性体２５が備える環状体２５ｂの３つのパーツを軸部２５ａ側に付勢するコイルバネ２５ｅの付勢力より小さいので、図６（ｂ）に示すように、３つのパーツは軸部２５ａ及びローラ２２とともに回転している。すなわち、環状体２５ｂの外径は広がっておらず、環状体２５ｂの外周面２５ｃと周面対向部材２６の内周面２６ａとは離れているので、ローラ２２及び慣性体２５が回転しても周面対向部材２６は板バネ２９により突出部２６ｄが障子１２側に配置された状態で停止している。
【００３４】
その後、障子１２の移動する速さが所定速度以上になると、慣性体２５の回転により生じた遠心力が、慣性体２５が備える環状体２５ｂの３つのパーツを軸部２５ａ側に付勢するコイルバネ２５ｅの付勢力より大きくなり、３つのパーツが軸部２５ａとは反対方向に移動し環状体２５ｂの外径が広がる。このとき、広がった環状体２５ｂの外周面２５ｃが周面対向部材の内周面２６ａの摩擦材２６ｃを押圧することにより、周面対向部材２６と環状体２５ｂとが一体となる。一体となった周面対向部材２６と環状体２５ｂとは、ローラ２２と同じ方向に回転しようとするが、周面対向部材２６の突出部２６ｄが板バネ２９により障子１２側に付勢されているため、周面対向部材２６と環状体２５ｂとの回転による突出部２６ｄを框より枠体１０側に突出させる力が板バネ２９の付勢力より大きくなった際に、周面対向部材２６が回転し始めて突出部２６ｄが上框１２ｃより枠体１０側に突出し始める。
【００３５】
そして、障子１２の移動速度が所定速度以上に保たれていると、図６（ｃ）に示すように、突出部２６ｄが枠体１０側に突出したまま移動し続け、図６（ｄ）示すように、上枠１０ｂに設けられたストッパ５２に突出部２６ｄが当接して障子１２が停止する。このとき、障子１２が停止することによりローラ２２、慣性体２５、周面対向部材２６の回転が停止する。すなわち、障子１２の速度は所定速度より遅くなるため、慣性体２５が備える環状体２５ｂの３つのパーツがコイルバネ２５ｅの付勢力により軸部２５ａ側に移動され、環状体２５ｂの外周面２５ｃが周面対向部材２６の内周面２６ａから離れる。このため、ストッパ５２に突出部２６ｄが当接して障子１２が停止した障子１２を開く方向に僅かに移動させると、板バネ２９の付勢力により突出部２６ｄが障子１２側に移動される。そして、障子１２を縦枠１０ａ側に移動することにより障子１２が閉じられる。
【００３６】
一方、障子１２がゆっくり閉じられて、障子１２の移動する速さが所定速度より低い場合には、慣性体２５の回転により生じた遠心力がコイルバネ２５ｅの付勢力より小さいため突出部２６ｄが障子１２側に位置する状態が保たれるので、障子１２をそのまま移動し続けることにより、障子１２が閉じられる。
【００３７】
すなわち、所定速度は、障子１２の移動により生じる遠心力とコイルバネ２５ｅにより環状体２５ｂの３つのパーツを軸部２５ａ側に付勢する付勢力、及び、周面対向部材２６の回転により突出部２６ｄを枠体１０側に移動させる力と板バネ２９の付勢力のバランスによって適宜設定することが可能であり、例えば、縦枠１０ａと戸先框１２ａとの間に手や指が挟まれたとしても支障がない程度、または、縦枠１０ａと戸先框１２ａとの間に手や指が挟まれて障子１２が停止する程度の速度に設定することが望ましい。
【００３８】
本実施形態の建具１によれば、障子１２が所定速度以上にて移動する際に突出部２６ｄが突出し、突出した突出部２６ｄがストッパ５２に当接されて障子１２が停止するので、障子１２が所定速度以上になった際に障子１２の移動を停止させることが可能である。また、所定速度に満たない場合には、突出部２６ｄが突出しないのでストッパ５２に当接しない。このため、所定速度に満たない場合には、確実に障子１２を閉じることが可能である。
【００３９】
また、枠体１０と接触して障子１２が移動することにより回転するローラ２２と同軸にて回転する慣性体２５が、回転により生じる遠心力にて外径が広がって、周面対向部材２６を押圧することにより、慣性体２５と周面対向部材２６とが一体となって回転する。このとき周面対向部材２６に設けられた突出部２６ｄが、障子１２が有する上框１２ｃより枠体１０側に突出する。このため、障子１２の移動に伴って回転するローラ２２及び慣性体２５は、障子１２の移動速度に基づいて回転するので、環状体２５ｂが遠心力にて外径が広がるためには、障子１２が所定速度以上にて移動する必要がある。このため、障子１２が所定速度以上の場合には、突出部２６ｄが突出して移動が規制され、所定速度より低い場合には、規制されない建具１を提供することが可能である。
【００４０】
また、周面対向部材２６の回転を停止させる回転停止部としての周壁部２７ｃの端部２７ｅが設けられているので、回転した周面対向部材２６の回転が周壁部２７ｃの端部２７ｅにより停止されて突出部２６ｄを突出させた位置にて周面対向部材２６の回転を停止させることが可能である。
【００４１】
また、障子１２が有する上框１２ｃより枠体１０側に突出した突出部２６ｄは、障子１２が開口を閉止する前にストッパ５２に当接するので、障子１２により開口が完全に閉止される前に障子１２を停止させることが可能である。
【００４２】
また、突出部２６ｄが周壁部２７ｃの端部２７ｅとストッパ５２とに挟まれて障子１２の移動が規制されるので、障子１２の移動を確実に規制することが可能である。
【００４３】
そして、周面対向部材２６の回転が停止すると、外径が広がって一体となったローラ２２及び慣性体２５の回転も停止するか、または、回転速度が低くなる。このとき、慣性体２５に作用していた遠心力が低下するので、慣性体２５の外径が小さくなり、慣性体２５が周面対向部材２６から離れることにより、周面対向部材２６は、突出部２６ｄを上框１２ｃより枠体１０側に移動させる力が作用しなくなる。このため、上記建具１のように、突出した突出部２６ｄを障子１２の内側に付勢する板バネ２９を有していると、障子１２の速度が所定速度より遅くなった際に、速やかに突出部２６ｄを障子１２側に移動させることが可能である。
【００４４】
また、慣性体２５の外周面２５ｃが周面対向部材２６の内周面２６ａから離れた際には、突出部２６ｄが障子１２側に移動されるので、慣性体２５の外周面２５ｃが周面対向部材２６の内周面２６ａから離れた際、すなわち、障子１２の速度が所定速度より小さいときには、突出部２６ｄは板バネ２９により障子１２側に移動されているので、突出部２６ｄがストッパ５２に当接されることはなく、障子１２が停止することはない。
【００４５】
上記実施形態においては、ストッパ５２を上枠１０ｂに固定した例について説明したが、図７に示すように、ストッパ５２を見付け方向に移動可能に形成し、枠体１０との間にストッパ５２に突出部２６ｄが当接されたときの衝撃を抑える緩衝材としての圧縮バネ３０を介してストッパ５２が設けられていても良い。この場合には、障子１２が所定速度以上にて移動し突出部２６ｄがストッパ５２に当接されたとしても、その衝撃を抑えることが可能である。緩衝材は、圧縮バネに限らず、ゴムなどの弾性部材であっても構わない。
【００４６】
上記実施形態においては、慣性体２５の環状体２５ｂを構成する３つのパーツを軸部２５ａ側に付勢する部材をコイルバネとしたが、環状のゴム等であっても構わない。
【００４７】
また、上記実施形態においては、障子１２が所定速度以上にて移動する際に障子１２が停止する位置を、障子１２の戸先框１２ａが、縦枠１０ａから７５ｍｍより離れた位置としたが、これに限るものではない。
【００４８】
上記実施形態においては、ローラ２２が、慣性体２５と異なる中継軸２４に設けられている例について説明したが、慣性体２５の軸部２５ａと一体となった軸に設けられていても良い。
【００４９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５０】
１  建具
１  建具、１０  枠体、１２  障子（外障子）、２０  障子停止機構、
２１  停止ユニット、２２  ローラ、２５  慣性体、２５ａ  軸部、２５ｂ  環状体、
２５ｃ  外周面、２６  周面対向部材、２６ａ  内周面、２６ｄ  突出部、
２７  ユニット本体、２７ｃ  周壁部、２７ｅ  周壁部の端部、２９  板バネ、
３０  圧縮バネ、５０  接触部材、５２  ストッパ
【図１】
2011032787.tif 000003
【図２】
2011032787.tif 000004
【図３】
2011032787.tif 000005
【図４】
2011032787.tif 000006
【図５】
2011032787.tif 000007
【図６】
2011032787.tif 000008
【図７】
2011032787.tif 000009